(57)【要約】【課題】乳幼児が遊び易いテント玩具を提供する。【解決手段】テント玩具１は、環状の第１フレーム２及び第２フレーム３と、第１フレーム２に張設された底部シート６と、第１フレーム２に接続された下端７ａと、第２フレームに接続された上端７ｂと、を有する側部シート７と、第１フレーム２と第２フレーム３とを接続するように、側部シート７に設けられた複数の第１プレート１１と、底部シート６の内面６ａ又は側部シート７の内面７ｃに取り付けられた第１付属玩具と、を備える。【選択図】図１
0003225130.tif 000002
【実用新案登録請求の範囲】
【請求項１】
環状の第１フレーム及び第２フレームと、
前記第１フレームに張設された底部シートと、
前記第１フレームに接続された下端と、前記第２フレームに接続された上端と、を有する側部シートと、
前記第１フレームと前記第２フレームとを接続するように、前記側部シートに設けられた複数の第１プレートと、
前記底部シートの内面又は前記側部シートの内面に取り付けられた第１付属玩具と、を備える、テント玩具。
【請求項２】
前記第１フレーム及び前記第２フレームは、弾性変形可能であり、
前記第１プレートは、前記側部シートに着脱自在に設けられている、請求項１に記載のテント玩具。
【請求項３】
前記第２フレームと接続された基端と、前記底部シートの上方に位置する先端と、を有する幌部シートと、
前記先端と接続され、前記第２フレームに取り付けられた一対の端部を有するＵ字状の第３フレームと、を更に備える、請求項１又は２に記載のテント玩具。
【請求項４】
前記第３フレームに取り付けられた第２付属玩具を更に備える、請求項３に記載のテント玩具。
【請求項５】
前記基端と前記先端との間に設けられ、前記第２フレームに取り付けられた一対の端部を有するＵ字状の第４フレームと、を更に備える、請求項３又は４に記載のテント玩具。
【請求項６】
前記第２フレームと前記第４フレームとを接続するように、前記幌部シートに設けられた第２プレートを更に備える、請求項５に記載のテント玩具。
【請求項７】
前記第２フレームに沿う方向において、前記第１プレートは、前記第２プレートよりも長い、請求項６に記載のテント玩具。
【請求項８】
前記第１フレーム、前記第２フレーム、第３フレーム及び前記第４フレームは、弾性変形可能であり、
前記第１プレートは、前記側部シートに着脱自在に設けられ、
前記第２プレートは、前記幌部シートに着脱自在に設けられている、請求項７に記載のテント玩具。
【考案の詳細な説明】
【技術分野】
【０００１】
本考案は、テント玩具に関する。
【背景技術】
【０００２】
例えば、特許文献１には、シート状部材と、ドーム形状を構成する複数のフレーム部材と、複数のフレーム部材の頂部に吊り下げられた遊戯部材と、を有する赤ちゃん用の遊戯具が記載されている。この遊戯具では、ドーム形状がフレーム部材により構成されるため、開放された遊戯空間で赤ちゃんが遊ぶことができる。
【先行技術文献】
【特許文献】
【０００３】
【特許文献１】特開２００３−２２５４７５号公報
【考案の概要】
【考案が解決しようとする課題】
【０００４】
しかしながら、上述のような遊戯具では、遊戯部材が乳幼児の上部に吊り下げられるので、乳幼児が手を上に延ばさなければ、遊戯部材に触れることができない。このため、特に、月齢の低い乳幼児は、容易に遊戯部材に触れることができない。そこで、乳幼児が遊び易い玩具が求められている。
【０００５】
本考案は、乳幼児が遊び易いテント玩具を提供する。
【課題を解決するための手段】
【０００６】
本考案に係るテント玩具は、環状の第１フレーム及び第２フレームと、第１フレームに張設された底部シートと、第１フレームに接続された下端と、第２フレームに接続された上端と、を有する側部シートと、第１フレームと第２フレームとを接続するように、側部シートに設けられた複数の第１プレートと、底部シートの内面又は側部シートの内面に取り付けられた第１付属玩具と、を備える。
【０００７】
このテント玩具では、底部シートの内面又は側部シートの内面に第１付属玩具が取り付けられている。このため、月齢の低い乳幼児でも容易に第１付属玩具に触れることができる。よって、乳幼児が遊び易い。
【０００８】
第１フレーム及び第２フレームは、弾性変形可能であり、第１プレートは、側部シートに着脱自在に設けられていてもよい。この場合、第１プレートを取り外し、第１フレーム及び第２フレームを弾性変形させることにより、テント玩具をコンパクトに収納することができる。
【０００９】
上記テント玩具は、第２フレームと接続された基端と、底部シートの上方に位置する先端と、を有する幌部シートと、先端と接続され、第２フレームに取り付けられた一対の端部を有するＵ字状の第３フレームと、を更に備えてもよい。この場合、底部シートと側部シートとにより形成される空間の少なくとも一部を、幌部シートにより覆うことができる。
【００１０】
上記テント玩具は、第３フレームに取り付けられた第２付属玩具を更に備えてもよい。この場合、第２付属玩具が乳幼児の上方に位置する。これにより、乳幼児が飽きずに遊ぶことができる。
【００１１】
上記テント玩具は、基端と先端との間に設けられ、第２フレームに取り付けられた一対の端部を有するＵ字状の第４フレームと、を更に備えてもよい。この場合、幌部シートの形状が維持され易い。
【００１２】
上記テント玩具は、第２フレームと第４フレームとを接続するように、幌部シートに設けられた第２プレートを更に備えてもよい。この場合、幌部シートの形状が更に維持され易い。
【００１３】
第２フレームに沿う方向において、第１プレートは、第２プレートよりも長くてもよい。この場合、側部シートの形状が維持され易い。
【００１４】
第１フレーム、第２フレーム、第３フレーム及び第４フレームは、弾性変形可能であり、第１プレートは、側部シートに着脱自在に設けられ、第２プレートは、幌部シートに着脱自在に設けられていてもよい。この場合、第１プレート及び第２プレートを取り外し、第１フレーム、第２フレーム、第３フレーム及び第４フレームを弾性変形させることにより、テント玩具をコンパクトに収納することができる。
【考案の効果】
【００１５】
本考案によれば、乳幼児が遊び易いテント玩具を提供することができる。
【図面の簡単な説明】
【００１６】
【図１】実施形態に係るテント玩具の斜視図である。
【図２】図１のテント玩具の側面図である。
【図３】図１のテント玩具の背面図である。
【図４】側部シートを内面側から見た側面図である。
【図５】底部シートを内面側から見た平面図である。
【考案を実施するための形態】
【００１７】
以下、図面を参照して、実施形態について詳細に説明する。なお、図面中の同一又は相当部分には同一符号を付すこととする。
【００１８】
図１は、実施形態に係るテント玩具の斜視図である。図２は、図１のテント玩具の側面図である。図３は、図１のテント玩具の背面図である。図１〜図３に示される実施形態に係るテント玩具１は、乳幼児（生後０カ月から５歳）向けの玩具である。テント玩具１は、第１フレーム２と、第２フレーム３と、第３フレーム４と、第４フレーム５と、底部シート６と、側部シート７と、幌部シート８と、一対の支持部９と、を備える。
【００１９】
第１フレーム２、第２フレーム３、第３フレーム４、及び第４フレーム５は、例えば、スチール等の金属、又は、グラスファイバー入りの樹脂等からなる弾性変形可能なワイヤーフレームがカバーで覆われてなる。ワイヤーフレームは、例えば、断面矩形状のフラットワイヤーである。ワイヤーフレームとして、例えば、幅２ｍｍ以上５ｍｍ以下、厚さ０．５ｍｍ以上３ｍｍ以下のフラットワイヤーが用いられる。カバーは、例えば、ポリエステル等の布からなる縫製品である。
【００２０】
本実施形態では、第１フレーム２のワイヤーフレームとして、幅４ｍｍ、厚さ１．２ｍｍのフラットワイヤーが用いられる。第２フレーム３のワイヤーフレームとして、幅４ｍｍ、厚さ１．５ｍｍのフラットワイヤーが用いられる。第３フレーム４及び第４フレーム５のワイヤーフレームとして、幅３ｍｍ、厚さ１ｍｍのフラットワイヤーが用いられる。第１フレーム２において、第２フレーム３よりも薄いフラットワイヤーを用いるので、テント玩具１を折りたたんで収納し易い。
【００２１】
第１フレーム２は、環状に構成されている。本実施形態では、第１フレーム２は、直径８０ｃｍの円環状に構成されている。第１フレーム２は、例えば、直径５０ｃｍ以上１２０ｃｍ以下の円環状に構成されていてもよい。
【００２２】
第２フレーム３は、環状に構成されている。本実施形態では、第２フレーム３は、直径７０ｃｍの円環状に構成されている。第２フレーム３は、第１フレーム２よりも小径である。第２フレーム３は、例えば、直径５０ｃｍ以上１２０ｃｍ以下の円環状に構成されていてもよい。第２フレーム３は、第１フレーム２と同径であってもよいし、第１フレーム２よりも大径であってもよい。
【００２３】
第２フレーム３は、第３フレーム４及び第４フレーム５が取り付けられる一対の取付部３ａと、一対の取付部３ａ間を接続する一対の接続部３ｂ，３ｃと、を有している。接続部３ｂ，３ｃは、例えば、第２フレーム３の半分の長さを有している。本実施形態では、接続部３ｂ，３ｃは、直径７０ｃｍの半円の円弧状に構成されている。一対の取付部３ａを結ぶ直線は、第２フレーム３がなす円環の中心を通り、第２フレーム３がなす円環の直径と同じ７０ｃｍの長さを有する。
【００２４】
第３フレーム４は、Ｕ字状又はアーチ状に構成されている。第３フレーム４は、一対の端部４ａを有している。一対の端部４ａは、第２フレーム３の一対の取付部３ａに取り付けられている。第３フレーム４のカバー及び第２フレーム３のカバーの対応する部分が互いに縫い付けられることにより、一対の端部４ａは、一対の取付部３ａに固定して取り付けられている。本実施形態では、第３フレーム４は、直径７０ｃｍの半円の円弧状に構成されている。第３フレーム４の円弧は、第２フレーム３のなす円環の直径と同じ７０ｃｍの直径を有する。つまり、第３フレーム４は、接続部３ｂ，３ｃと同じ形状を有している。
【００２５】
第３フレーム４の取付部３ａに対する取付角度θ１（第３フレーム４と取付部３ａとがなす角度）は、例えば、６５度である。取付角度θ１は、例えば、３０度以上１２０度以下であってもよい。第３フレーム４と接続部３ｂとがなす間隔は、接続部３ｂの長さ方向の中央部に近づくほど長くなる。
【００２６】
第４フレーム５は、Ｕ字状又はアーチ状に構成されている。第４フレーム５は、一対の端部５ａを有している。一対の端部５ａは、第２フレーム３の一対の取付部３ａに取り付けられている。第４フレーム５のカバー及び第２フレーム３のカバーの対応する部分が互いに縫い付けられることにより、一対の端部５ａは、一対の取付部３ａに固定して取り付けられている。本実施形態では、第４フレーム５は、直径７０ｃｍの半円の円弧状に構成されている。第４フレーム５の円弧は、第２フレーム３のなす円環の直径と同じ７０ｃｍの直径を有する。つまり、第４フレーム５は、接続部３ｂ，３ｃ及び第３フレーム４と同じ形状を有している。
【００２７】
第４フレーム５の取付部３ａに対する取付角度θ２（第４フレーム５と取付部３ａとがなす角度）は、取付角度θ１よりも小さい。取付角度θ２は、例えば、３５度である。取付角度θ２は、例えば、１０度以上６０度以下であってもよい。第４フレーム５と接続部３ｂとがなす間隔は、接続部３ｂの長さ方向の中央部に近づくほど長くなる。
【００２８】
底部シート６、側部シート７、及び幌部シート８は、例えば、ポリエステル等の布からなる。底部シート６、側部シート７、及び幌部シート８は、例えば、第１フレーム２、第２フレーム、第３フレーム４、及び第４フレーム５のカバーと同じポリエステル等の布からなる。
【００２９】
底部シート６は、第１フレーム２に張設されている。底部シート６の外縁は、第１フレーム２のカバーに縫い付けられて固定されている。底部シート６は、第１フレーム２のなす形状に応じた形状を有している。本実施形態では、底部シート６は、直径８０ｃｍの円形状を有している。底部シート６は、例えば、５０ｃｍ以上１２０ｃｍ以下の円形状を有していてもよい。
【００３０】
側部シート７は、第１フレーム２に接続された下端７ａと、第２フレームに接続された上端７ｂと、を有する。下端７ａは、例えば、第１フレーム２のカバーに縫い付けられて固定されている。上端７ｂは、例えば、第２フレーム３のカバーに縫い付けられて固定されている。本実施形態では、下端７ａが直径８０ｃｍの円環状をなし、上端７ｂが直径７０ｃｍの円環状をなしている。側部シート７は、略円筒状をなしている。側部シート７の幅は、３０ｃｍである。側部シート７の幅は、例えば、１０ｃｍ以上６０ｃｍ以下であってもよい。第１フレーム２及び第２フレーム３は、側部シート７の幅方向に互いに離間して配置されている。第１フレーム２と第２フレーム３との離間距離は、側部シート７の幅と等しい。
【００３１】
幌部シート８は、底部シート６の上方に張り出し、底部シート６の上方に位置している。幌部シート８は、第２フレーム３と接続された基端８ａと、底部シート６の上方に位置し、第３フレーム４と接続された先端８ｂと、を有する。基端８ａは、例えば、第２フレーム３のカバーに縫い付けられて固定されている。先端８ｂは、例えば、第３フレーム４のカバーに縫い付けられて固定されている。
【００３２】
幌部シート８は、基端８ａと先端８ｂとの間に第４フレーム５と接続された線状の接続部８ｃを更に有する。つまり、第４フレーム５は、基端８ａと先端８ｂとの間に設けられる。接続部８ｃは、例えば、第４フレーム５に縫い付けられて固定されている。基端８ａの両端、先端８ｂの両端、及び接続部８ｃの両端は、それぞれ一致している。
【００３３】
一対の支持部９は、取付角度θ１が保持されるように、第３フレーム４を支持している。一方の支持部９は、第３フレーム４の一方の端部４ａと、第２フレーム３の接続部３ｃとを接続している。他方の支持部９は、第３フレーム４の他方の端部４ａと、第２フレーム３の接続部３ｃとを接続している。本実施形態では、一対の支持部９は、第３フレーム４のカバーに縫い付けられて固定された一辺と、側部シート７の内面７ｃに面ファスナーで固定された一辺とを含む三角形状のシートである。支持部９は、例えば、底部シート６、側部シート７、及び幌部シート８と同じポリエステル等の布からなる。
【００３４】
テント玩具１は、例えば、側部シート７に設けられた複数の第１プレート１１と、幌部シート８に設けられた第２プレート１２と、を更に備える。本実施形態では、テント玩具１は、４枚の第１プレート１１を有している。第１プレート１１及び第２プレート１２は、例えば、ＰＥ（ポリエチレン）、ＰＰ（ポリプロピレン）、又はＰＶＣ（ポリ塩化ビニル）等の樹脂からなる板状部材である。第１プレート１１及び第２プレート１２の厚さは、例えば、２ｍｍである。第１プレート１１及び第２プレート１２の厚さは、例えば、１ｍｍ以上５ｍｍ以下であってもよい。
【００３５】
第１プレート１１は、第１フレーム２と第２フレーム３とを接続するように、側部シート７に設けられている。第１プレート１１は、主面が側部シート７と接するように設けられている。第１プレート１１は、例えば、矩形板状部材であり、側部シート７の幅方向に沿う長辺と、第１フレーム２及び第２フレーム３に沿う短辺と、を有する。第１プレート１１の長辺の長さは、側部シート７の幅と等しく、例えば、３０ｃｍである。第１プレート１１の長辺の長さは、１０ｃｍ以上６０ｃｍ以下であってもよい。第１プレート１１の短辺の長さは、例えば、１３ｃｍである。第１プレート１１の短辺の長さは、１ｃｍ以上３０ｃｍ以下であってもよい。
【００３６】
複数の第１プレート１１は、例えば、互いに等間隔をなすように側部シート７に設けられている。２つの第１プレート１１は、例えば、一対の取付部３ａの位置に対応して設けられている。つまり、２つの第１プレート１１は、短辺が一対の取付部３ａと隣り合うように設けられている。１つの第１プレート１１は、例えば、接続部３ｂの長さ方向の中央部の位置に対応して設けられている。つまり、１つの第１プレート１１は、短辺が接続部３ｂの長さ方向の中央部と隣り合うように設けられている。
【００３７】
第１プレート１１は、例えば、側部シート７に着脱自在に設けられている。第１プレート１１は、例えば、側部シート７に設けられた収納部に収容される。収納部は、例えば、面ファスナー又はボタン等により開閉可能な袋状に構成されている。
【００３８】
第２プレート１２は、第２フレーム３と第４フレーム５とを接続するように、幌部シート８に設けられている。第２プレート１２は、短辺が接続部３ｂの長さ方向の中央部と隣り合うように設けられた１つの第１プレート１１に対応して設けられている。つまり、第２プレート１２は、具体的には、接続部３ｂの長さ方向の中央部と、第４フレーム５の長さ方向の中央部とを接続するように設けられている。第２プレート１２は、幌部シート８の基端８ａ側に設けられている。第２プレート１２は、基端８ａと接し、基端８ａから先端８ｂに向かって延在するように設けられている。
【００３９】
第２プレート１２は、主面が幌部シート８と接するように設けられている。第２プレート１２は、例えば、矩形板状部材であり、第２フレーム３と第４フレーム５とを接続するよう延びる長辺と、第２フレーム３及び第４フレーム５に沿う短辺と、を有する。第２プレート１２の長辺の長さは、接続部３ｂの長さ方向の中央部と、第４フレーム５の長さ方向の中央部とがなす間隔と等しく、例えば、２０ｃｍである。第２プレート１２の長辺の長さは、４ｃｍ以上５０ｃｍ以下であってもよい。
【００４０】
第２プレート１２の短辺の長さは、第１プレート１１の短辺の長さよりも短く、例えば、８ｃｍである。つまり、第１プレート１１は第２プレート１２よりも幅広である。更に換言すると、第２フレーム３に沿う方向において、第１プレート１１は、第２プレート１２よりも長い。なお、第２プレート１２の短辺の長さは、第１プレート１１の短辺の長さと同じであってもよいし、第１プレート１１の短辺の長さよりも長くてもよい。
【００４１】
第２プレート１２は、例えば、幌部シート８に着脱自在に設けられている。第２プレート１２は、例えば、幌部シート８に設けられた収納部に収容される。収納部は、例えば、面ファスナー又はボタン等により開閉可能な袋状に構成されている。
【００４２】
テント玩具１は、例えば、複数のボール２０と、複数の付属玩具２１〜２５とを更に備えている。複数のボール２０は、例えば、底部シート６と側部シート７とにより形成される空間に収容されている。この空間は、乳幼児が遊ぶための遊戯空間である。ボール２０は、例えば、ＰＥ、ＰＰ、又はＰＶＣ等の樹脂からなる中空の球体である。ボール２０の直径は、例えば、５ｃｍ以上１０ｃｍ以下である。テント玩具１は、このように複数のボール２０を収容することで、ボールプールとして用いられる。
【００４３】
付属玩具２１（第２付属玩具）は、第３フレーム４に取り付けられている。付属玩具２１は、第３フレーム４の長さ方向の中央部に吊り下げられている。付属玩具２１は、例えば、バスケットゴール玩具であり、ボール２０を収容可能に構成されている。付属玩具２１は、上部円環フレーム２１ａと、下部円環フレーム２１ｂと、側部シート２１ｃと、引張り部２１ｄと、取付部２１ｅと、を備えている。下部円環フレーム２１ｂは、上部円環フレーム２１ａよりも小径に形成されている。下部円環フレーム２１ｂには、ボール２０が通過できないようにリボン等の帯状の布（以下、単に「リボン」と言う）が架け渡されている。
【００４４】
側部シート２１ｃは、上部円環フレーム２１ａと下部円環フレーム２１ｂとを接続し、ボール２０を収容する空間を形成している。引張り部２１ｄは、下部円環フレーム２１ｂのリボンに取り付けられている。引張り部２１ｄを乳幼児が引っ張ると、下部円環フレーム２１ｂのリボンが伸びて、リボンと下部円環フレーム２１ｂとの隙間からボール２０が落下するようになっている。取付部２１ｅは、例えば、上部円環フレーム２１ａと第３フレーム４とを接続する一対のリボンである。
【００４５】
付属玩具２２（第１付属玩具）は、側部シート７の内面７ｃに取り付けられている。付属玩具２２は、例えば、鏡玩具である。付属玩具２２は、例えば、面ファスナーによって側部シート７の内面７ｃに着脱自在に取り付けられている。
【００４６】
図４は、側部シートを内面側から見た側面図である。図４に示されるように、付属玩具２３（第１付属玩具）は、側部シート７の内面７ｃ及び外面の両方に渡って取り付けられている。付属玩具２３は、例えば、一対のボール投入口２３ａと、ボール取出口２３ｂと、メッシュバッグ２３ｃと、メッシュカバー２３ｄと、を有している。一対のボール投入口２３ａ及びボール取出口２３ｂは、ボール２０が通過可能に側部シート７に設けられた開口部である。ボール取出口２３ｂは、一対のボール投入口２３ａの下方に配置されている。
【００４７】
メッシュバッグ２３ｃは、側部シート７の外面側に取り付けられ、一対のボール投入口２３ａ及びボール取出口２３ｂを覆っている。メッシュバッグ２３ｃは、複数のボール２０を収容可能である。メッシュカバー２３ｄは、ボール取出口２３ｂに取り付けられ、ボール取出口２３ｂの全体を覆っている。メッシュカバー２３ｄの下端部には、ゴムが通されている。メッシュカバー２３ｄの下端部は、例えば、ボール取出口２３ｂの下端部に近接して取り付けられている。メッシュカバー２３ｄの下端部には、例えば、ループ状のリボンが取り付けられている。リボンを引っ張ることで、メッシュカバー２３ｄの下端部とボール取出口２３ｂの下端部とを離間させて、これらの間からメッシュバッグ２３ｃのボール２０を落下させることができる。付属玩具２３によれば、ボール投入口２３ａ及びボール取出口２３ｂを通じて、側部シート７の内面７ｃ側からメッシュバッグ２３ｃにボール２０を入れたり出したりして繰り返し遊ぶことができる。
【００４８】
図５は、底部シートを内面側から見た平面図である。図５に示されるように、付属玩具２４（第１付属玩具）は、底部シート６の内面６ａに取り付けられている。付属玩具２４は、例えば、樹脂フィルム（不図示）が布製のカバーで覆われてなる。付属玩具２４に乳幼児が触れると、樹脂フィルムがカシャカシャ音を発し、乳幼児の興味を引く。付属玩具２４は、カバーが底部シート６に縫い付けられることで、内面６ａに固定されている。
【００４９】
付属玩具２４は、例えば、矩形状をなし、一辺が底部シート６に縫い付けられている。カバーの上面には、例えば、目隠ししたカニの絵柄が付されている。付属玩具２４に覆われた底部シート６の内面６ａには、例えば、目隠しを外したカニの絵柄が付されている。乳幼児は、付属玩具２４をめくることで、異なるカニの絵柄を見比べて遊ぶことができる。
【００５０】
付属玩具２５は、例えば、紐２５ａと、紐２５ａが移動可能に挿通された円形シート部材２５ｂと、紐２５ａの一端に取り付けられたタコの縫いぐるみ２５ｃと、紐２５ａの他端に取り付けられたボール入りのメッシュバッグ２５ｄと、を有している。乳幼児は、縫いぐるみ２５ｃやボール入りのメッシュバッグ２５ｄを触ったり、引っ張ったりして遊ぶことができる。
【００５１】
以上説明したように、底部シート６の内面６ａには、付属玩具２４，２５が取り付けられ、側部シート７の内面７ｃには、付属玩具２２，２３が取り付けられている。このため、月齢の低い乳幼児でも、寝ころんだ状態で手足を動かすだけで、容易にこれらの付属玩具２２〜２５に触れることができる。よって、乳幼児が遊び易い。側部シート７には、複数の第１プレート１１が設けられているので、側部シート７の形状を維持することができる。第１プレート１１は、板状部材であり、主面が側部シート７と接するように設けられているため、柱状部材に比べて、側部シート７と一体化し易く、目立ち難い。また、第１プレート１１は、柱状部材に比べて、側部シート７の広い面積で形状を保持できる。更に、第１プレート１１によれば、柱状部材に比べて、乳幼児がぶつかったときの当たりを柔らかくできる。
【００５２】
テント玩具１は、幌部シート８を備えるので、底部シート６と側部シート７とにより形成される空間（遊戯空間）の少なくとも一部を、幌部シート８により覆うことができる。
【００５３】
テント玩具１は、幌部シート８の先端８ｂと接続された第３フレーム４を備え、第３フレーム４には、付属玩具２１が取り付けられている。このため、付属玩具２１が乳幼児の上方に位置する。これにより、乳幼児が飽きずに遊ぶことができる。特に、月齢が高くなれば、自分でボール２０を付属玩具２１のバスケットゴールに入れたり、引張り部２１ｄを引っ張ってボール２０を落としたりして遊ぶことができる。
【００５４】
テント玩具１は、幌部シート８の基端８ａと先端８ｂとの間に設けられた第４フレーム５を備えるので、幌部シート８の形状が維持され易い。
【００５５】
幌部シート８には、第２プレート１２が設けられているので、幌部シート８の形状が更に維持され易い。第２プレート１２によれば、第３フレーム４に取り付けられた付属玩具２１が引っ張られた場合でも、幌部シート８が遊戯空間に落ち込むことが抑制される。第２プレート１２は、板状部材であり、主面が幌部シート８と接するように設けられているため、柱状部材に比べて、幌部シート８と一体化し易く、目立ち難い。また、第２プレート１２は、柱状部材に比べて、幌部シート８の広い面積で形状を保持できる。更に、第２プレート１２によれば、柱状部材に比べて、乳幼児がぶつかったときの当たりを柔らかくできる。
【００５６】
第２フレーム３に沿う方向において、第１プレート１１は、第２プレート１２よりも長い。このため、第１プレート１１の短辺の長さが第２プレート１２の短辺の長さと同じである場合に比べて、側部シート７の形状が維持され易い。
【００５７】
第１フレーム２、第２フレーム３、第３フレーム４及び第４フレーム５は、弾性変形可能である。その上、第１プレート１１は、側部シート７に着脱自在に設けられ、第２プレート１２は、幌部シート８に着脱自在に設けられている。このため、第１プレート１１及び第２プレート１２を取り外し、第１フレーム２、第２フレーム３、第３フレーム４及び第４フレーム５を弾性変形させることにより、テント玩具１をコンパクトに収納することができる。このようにテント玩具１を収納する際は、付属玩具２２も取り外しておくことで、鏡の部分が損傷することを抑制可能となる。
【００５８】
本考案は上述した実施形態に限らず、様々な変形が可能である。
【００５９】
例えば、テント玩具１は、第３フレーム４、第４フレーム５、幌部シート８、支持部９、及び付属玩具２１を備えなくてもよい。付属玩具２２は、底部シート６の内面６ａに取り付けられていてもよい。付属玩具２４，２５は、側部シート７の内面７ｃに取り付けられていてもよい。
【００６０】
テント玩具１は、第４フレーム５を備えなくてもよい。この場合、第２プレート１２は、例えば、第２フレーム３と第３フレーム４とを接続するように幌部シート８に取り付けられる。
【符号の説明】
【００６１】
１…テント玩具、２…第１フレーム、３…第２フレーム、４…第３フレーム、４ａ…端部、５…第４フレーム、５ａ…端部、６…底部シート、６ａ…内面、７…側部シート、７ａ…下端、７ｂ…上端、７ｃ…内面、８…幌部シート、８ａ…基端、８ｂ…先端、９…支持部、１１…第１プレート、１２…第２プレート、２０…ボール、２１〜２５…付属玩具。
【図１】
0003225130.tif 000003
【図２】
0003225130.tif 000004
【図３】
0003225130.tif 000005
【図４】
0003225130.tif 000006
【図５】
0003225130.tif 000007